(57)【要約】
【課題】  マスコット付ストラップは、可愛さや面白味のあるストラップとすることができるも、変化が少なく、飽きることがあり、本考案は、単純であっても、より面白味のあるストラップを提供するものである。
【解決手段】  上部ケース21と下部ケース31とで構成される卵形のケース部20の内側に装飾体41を備え、上部ケース21と下部ケース31とはヒンジ15により開閉可能に接続され、下部ケース31には係止部33を有し、上部ケース21には前記係止部33と係合する係合部23を有し、装飾体41は弾性体45を介して下部ケース31に固定され、上部ケース21の係合部23を係止部33に係合させて上部ケース21を閉じたとき、前記弾性体45が圧縮状態とされて装飾体41をケース部20の内部に収納するストラップ飾り10とするものである。
【選択図】    図２
0003100719.tif 000002
【実用新案登録請求の範囲】
【請求項１】
上部ケースと下部ケースとで構成される卵形のケース部の内側に装飾体を備えたストラップ飾りであって、上部ケースの頂部に透孔を形成した吊り下げ部を有し、上部ケースと下部ケースとはヒンジにより接続され、下部ケースにおけるヒンジの対向位置には係止部を有し、上部ケースにおけるヒンジの対向位置には前記係止部と係合する係合部を有し、装飾体は弾性体を介して下部ケースに固定され、上部ケースの係合部を係止部に係合させて上部ケースを閉じたとき、前記弾性体が圧縮状態とされて装飾体をケース部の内部に収納していることを特徴とするストラップ飾り。
【請求項２】
係止部は、下部ケースの外周に開放される凹溝を下部ケースの上端近くに形成するものであり、係合部は、上部ケースの下端から内方に突出して前記凹溝に挿入される突起体により形成したことを特徴とする請求項１に記載したストラップ飾り。
【請求項３】
上部ケースの下端における係合部位置の外周には、上部ケース外周から外方に突出する突出部を設けたことを特徴とする請求項１又は請求項２に記載したストラップ飾り。
【考案の詳細な説明】
【技術分野】
【０００１】
本考案は、携帯用電話機などに取付ける飾りとしてのストラップに関するものであり、尚詳しくは、マスコット付ストラップなどの飾り小物に関するものである。
【背景技術】
【０００２】
今日、携帯用電話機のストラップは、単純な紐又はチェーンのみでなく、マスコットやキャラクターグッズなどの種々の飾り小物をマスコットとして付加することが行われている（例えば特許文献１）。
【特許文献１】特開２００２−１７４２５号公報
【考案の開示】
【考案が解決しようとする課題】
【０００３】
前記マスコット付ストラップは、マスコットなどにより可愛さや面白味のあるストラップとすることができるも、変化が少なく、飽きることがあった。
本考案は、単純であっても、より面白味のあるストラップとするストラップの飾り小物を提供するものである。
【課題を解決するための手段】
【０００４】
本考案は、上部ケースと下部ケースとで構成される卵形のケース部の内側に装飾体を備えたストラップ飾りであって、上部ケースの頂部に透孔を形成した吊り下げ部を有し、上部ケースと下部ケースとはヒンジにより開閉可能に接続され、下部ケースにおけるヒンジの対向位置には係止部を有し、上部ケースにおけるヒンジの対向位置には前記係止部と係合する係合部を有し、装飾体は弾性体を介して下部ケースに固定され、上部ケースの係合部を係止部に係合させて上部ケースを閉じたとき、前記弾性体が圧縮状態とされて装飾体をケース部の内部に収納するストラップ飾りとするものである。
【０００５】
尚、前記係止部は、下部ケースの外周に開放される凹溝を下部ケースの上端近くに形成するものであり、係合部は、上部ケースの下端から内方に突出させる突起体により形成することが好ましい。
又、上部ケース下端の係合部位置の外周には、上部ケース外周から外方に突出する突出部を設けることがある。
【考案の効果】
【０００６】
本考案は、上部ケース及び下部ケースで構成するケース部の内部に、圧縮した状態の弾性体で下部ケースに固定した装飾体を収納して係合部を係止部に係合させて上部ケースを閉じた状態としているため、係合部を係止部から外すと、弾性体が圧縮状態から開放されて上部ケースを押し上げ、装飾体をケース部から飛び出させることができ、卵が割れて装飾体が出現する変化により面白味を与えることができる。
【０００７】
又、外周を開放した凹溝を係止部とし、内方に突出する突起体を係合部として係合部を係止部に係合させるストラップ飾りは、弾性体を圧縮した状態で上部ケースを閉じておくケース部の製造を容易とすることができる。
そして、係合部位置の外周に突出部を設ける上部ケースは、上部ケースを開くとき、容易に上部ケースを開くことができる。
【考案を実施するための最良の形態】
【０００８】
本考案は、内部に空間を形成する卵形のケース部20を上部ケース21と下部ケース31とで形成し、上部ケース21と下部ケース31とをヒンジ15で接続することにより一体とすると共に、ヒンジ15の対向位置において下部ケース31の上近くには外方に開口する凹溝の係止部33を形成し、上部ケース21の下端には内方に突出して前記凹溝に挿入される係合部23を設けるものである。
【０００９】
更に、装飾体41を弾性体45を介して下部ケース31の内部に固定し、この弾性体45を圧縮状態として上部ケース21を閉じて係合部23を係止部33に係合させることにより、卵形のケース部20の内部に装飾体41を収納するストラップ飾り10とするものであり、上部ケース21の頂部には、透孔28を有する吊り下げ部27を備えているものである。
【実施例】
【００１０】
本考案に係るストラップ飾り10は、図１に示すように、卵形のケース部20の頂部に透孔28を備えた吊り下げ部27を有するものであり、該吊り下げ部27の透孔28を通した飾りチェーン53でストラップワイヤー55などに吊るされるものである。
【００１１】
このケース部20は、上部ケース21と下部ケース31とを合わせて卵形のケース部20とするものであり、上部ケース21と下部ケース31との突合せ部分は、図１などに示したように波型としている。
【００１２】
そして、上部ケース21と下部ケース31とは、図２及び図３に示すように、ヒンジピン16を有するヒンジ15により開閉可能としつつ一体に接続することにより、下部ケース31に上部ケース21を閉じたときにケース部20の内部に装飾体41を収納する空間を形成し得るものとしている。
【００１３】
更に、この下部ケース31のヒンジ15と対向する位置の上端近くには、外方に開口開放される凹溝を設けて係止部33を形成するものである。又、上部ケース21の下端においてヒンジ15と対向する位置には内方に突出する突起体であって係止部33とした凹溝に挿入され、上部ケース21がヒンジ15を中心として開放されることを阻止する突起体を係合部23として形成すると共に、この係合部23の位置における上部ケース21の外周には、外方に突出して指先を掛けることができる突出部25を形成するものである。
【００１４】
そして、下部ケース31の内側底部近くには、短円筒状に突出する固定部37を形成し、弾性体45である弦巻バネを固定し得るようにしている。
又、ヒヨコなどの合成樹脂製の人形であって、上部ケース21と下部ケース31とによりケース部20の内部に収納し得る大きさとした小型の装飾体41の取付け部43に弦巻バネの一端を固定し、この弾性体45である弦巻バネの他端を下部ケース31の固定部37に固定することにより、弾性体45を介して装飾体41を下部ケース31の内側に固定するものである。
【００１５】
尚、弦巻バネの長さは、この弾性体45を圧縮した状態では、装飾体41をケース部20の内部に収納して上部ケース21と下部ケース31とを閉じることを可能とし、上部ケース21を開いたとき、装飾体41が上部ケース21を９０度以上回転させて上部ケース21の内側空間から飛び出し得る長さとするものである。
【００１６】
従って、弾性体45を圧縮させて上部ケース21を閉じると、ケース部20の内部に装飾体41を収納して上部ケース21の係合部23を下部ケース31の係止部33に挿入するようにして上部ケース21を閉じた状態に維持させることができる。
【００１７】
そして、指先などで突出部25を押し上げると、係合部23が係止部33から外れ、弾性体45の力により上部ケース21が押し開かれて内側から装飾体41が飛び出すことになる。
【００１８】
従って、図４に示すように、ストラップワイヤー55を用いて携帯用電話機などにこのストラップ飾り10を結びつけると、下部ケース31に上部ケース21を閉じた状態では卵形の形状であるも、突出部25を押し上げると卵形から卵が割れてヒヨコなどの装飾体41が飛び出す変化を見せることができる。
【００１９】
尚、上部ケース21に突出部25を設けることなく、下部ケース31に係止部33を設けると共に上部ケース21に係合部23を設けておき、図５及び図６に示すように指先で下部ケース31を押し潰すように変形させて係合部23と係止部33との係合を外し、上部ケース21を弾性体45の力により開かせるようにすることもある。
【００２０】
又、ヒンジ15は、上部ケース21と下部ケース31とに透孔を備えた突起を設けてヒンジピン16により上部ケース21と下部ケース31とを接続する場合に限るものでなく、合成樹脂により上部ケース21と下部ケース31とを形成するに際し、所要幅の薄肉部により上部ケース21と下部ケース31とを連結した状態の形状として形成し、薄肉部をもってヒンジとすることもある。
【００２１】
更に、弾性体45は、弦巻バネに限ることなく、空気を内部に密封した円柱状の弾性チューブを用い、円柱状のチューブが通常は直線状形状を維持し、外力により変形しても外力を除くと直線棒状の形状に戻る弾性体45とすることもある。
そして、装飾体41としては、ヒヨコの形状に限るものでなく、怪獣や人間型のもの、更にアニメーションなどのキャラクタの形状とすることもある。
【００２２】
又、このストラップ飾り10を携帯用電話機などに取付けるに際しては、飾りチェーン51を用いることなく、吊り下げ部27に直接に紐や合成樹脂糸などのストラップワイヤー55を通して携帯用電話機などに結びつけるようにすることもある。
【産業上の利用可能性】
【００２３】
本考案に係るストラップ飾りは、上部ケースを閉じると卵形であっても、指先などで外力を加えると卵が割れて装飾体が飛び出す変化を行う故、携帯用電話機などの飾りとして面白味のある飾りとすることができる。
【図面の簡単な説明】
【００２４】
【図１】本考案に係るストラップ飾りの全体を示す図。
【図２】本考案に係るストラップ飾りの要部断面図。
【図３】本考案に係るストラップ飾りの上部ケースを開いた状態を示す断面図。
【図４】本考案に係るストラップ飾りの使用状態の一例を示す図。
【図５】本考案に係るストラップ飾りの他の実施例を示す図。
【図６】本考案に係るストラップ飾りの他の実施例における要部を示す図。
【符号の説明】
【００２５】
１０  ストラップ飾り
１５  ヒンジ                          １６  ヒンジピン
２０  ケース部
２１  上部ケース                      ２３  係合部
２５  突出部                          ２７  吊り下げ部
２８  透孔
３１  下部ケース                      ３３  係止部
３７  固定部
４１  装飾体                          ４３  取付け部
４５  弾性体
５１  飾りチェーン                    ５５  ストラップワイヤー
【図１】
0003100719.tif 000003
【図２】
0003100719.tif 000004
【図３】
0003100719.tif 000005
【図４】
0003100719.tif 000006
【図５】
0003100719.tif 000007
【図６】
0003100719.tif 000008